(57)【要約】【課題】磁気テープを巻装した単一のリールが回転可能にカートリッジケース内に収容され、上記磁気テープの先端部に固着されたテープ引出し用リーダピンが、上記ケース内に固定されたラッチスプリングにより側方から加えられる付勢力によって上下両端のフランジを係止される態様で、上記ケース内に着脱可能に保持される磁気テープカートリッジにおいて、記録再生装置によるリーダピンの挿入位置の誤差に基づくバラツキ等によってリーダピンのケース内への挿入経路にズレが生じた場合であっても、リーダピンのケース内への挿入が可能になるようにする。【解決手段】リーダーピン５のフランジ５ｃに当接するラッチスプリング３０の導入面３１の、フランジ５ｃとの接点におけるリーダーピン５の挿入方向に対する傾斜角度αを３０°±５°に設定する。【選択図】図２
2007311025.tif 000002
【特許請求の範囲】
【請求項１】
磁気テープを巻装した単一のリールがカートリッジケース内に回転可能に収容され、前記磁気テープの先端部に固着されたテープ引出し用リーダーピンが、その両端部に対し前記ケース内に設けられたラッチスプリングにより側方から加えられる付勢力によって前記ケース内に着脱可能に保持され、前記ラッチスプリングは、前記リーダーピンが前記ケース内に挿入されるときに該リーダーピンにより側方に偏位せしめられて前記リーダーピンの前記ケース内への挿入を可能にする導入面と、該導入面を通過した前記リーダーピンを前記ケース内に保持する保持部とを備えてなる磁気テープカートリッジにおいて、
前記リーダーピンとの接点における前記導入面の該リーダーピンの挿入方向に対する傾斜角度が、前記リーダーピンの前記ケース内への挿入位置の如何に拘らず該リーダーピンにより押されるだけの動作によって前記ラッチスプリングが側方に偏位せしめられる３０°±５°の角度範囲内に設定されていることを特徴とする磁気テープカートリッジ。
【発明の詳細な説明】
【技術分野】
【０００１】
本発明は、磁気テープを巻装した単一のリールがカートリッジケース内に回転可能に収容されてなる磁気テープカートリッジに関し、特に、磁気テープの先端部に固着されたテープ引出し用リーダーピンをカートリッジケースの開口部に着脱可能に保持するラッチスプリングの構造に関するものである。
【背景技術】
【０００２】
従来、コンピュータ等の外部記憶装置に用いられる記録媒体として使用されている磁気テープカートリッジとして、例えば特許文献１に開示されているような、磁気テープを巻装した単一のリールが回転可能にカートリッジケース内に収容されたタイプのものが知られている。そして、このタイプの磁気テープカートリッジにおいては、その磁気テープの先端部に固着されたテープ引出し用リーダーピンが、上記ケース内に固定されたラッチスプリングにより側方から加えられる付勢力によって係止される態様で、上記ケース内に着脱可能に保持されるように構成されている。
【０００３】
図５および図６は、上記特許文献１に記載されたリーダーピン保持部の構造を示す要部の縦断面図および一部を断面とした平面図である。
【０００４】
図５および図６において、合成樹脂製のカートリッジケース４は、互いに結合された上ハーフ２と下ハーフ３とからなり、カートリッジケース４内には、ローディング用のリーダーピン５が終端に固着された磁気テープを巻装した単一のリール（図示は省略）が回動可能に収容されている。カートリッジケース４の一側壁には、磁気テープを引き出すための開口部８が形成され、この開口部８には、カートリッジケース４の側壁に平行な方向に移動可能なスライドドア２０が取り付けられている。スライドドア２０は、不図示のドアスプリングにより、開口部８を閉じる方向に付勢されている。
【０００５】
上記磁気テープカートリッジの開口部８の近傍には、リーダーピン収納用凹部９が形成され、磁気テープカートリッジの不使用時に、磁気テープが完全にリールに巻き込まれた状態で上記リーダーピン５を上記凹部９内に着脱可能に保持するためのラッチスプリング３０が取り付けられている。
【０００６】
そして、磁気テープカートリッジが外部記録装置等の記録再生装置に装填されるのに伴いスライドドア２０が開かれ、記録再生装置が備えているロボットアームによってリーダーピン５が引き出され、磁気テープがテープ走行路の所定位置に引き込まれて、磁気テープへのデータの読み書きが可能となる。
【０００７】
リーダーピン５は、図５から明らかなように、磁気テープの先端部を巻き付けて断面Ｃ字状のクランプ部材５ｅの嵌着によりクランプする軸状のテープクランプ部５ａを中央部に備え、このテープクランプ部５ａの上下両端に薄い板状のフランジ５ｄ，５ｄが連設され、さらにフランジ５ｄ，５ｄの軸方向外側には、記録再生装置のロボットアームに係合保持される細軸部５ｄ，５ｄを隔てて、円柱状のフランジ５ｃ，５ｃが形成されている。
【０００８】
ラッチスプリング３０は、例えば図７に示すような形状を有して上下ハーフ２，３に挟持された板バネからなり、リーダーピン５の上下両端のフランジ５ｃ，５ｃは、上下ハーフ２，３のリーダーピン収納用凹部９内にそれぞれ挿入されるとともに、ラッチスプリング３０によって両フランジ５ｃ，５ｃが着脱可能に保持されるように構成されている。
【０００９】
図７に示すように、ほぼコ字状の平面形状を有して上下対称に形成されたラッチスプリング３０は、その連結基部３０ａの上下端から裏面板３０ｃとほぼ平行に延びる一対の腕部３０ｂ，３０ｂを備えており、これら上下の腕部３０ｂ，３０ｂの先端にそれぞれリーダーピン５の保持部３０ｄが設けられ、上下の腕部３０ｂ，３０ｂ間は切り欠かれて、保持部３０ｄのみがリーダーピン５のフランジ５ｃの外周面に側方から当接するように形成されている。各保持部３０ｄは山形に突出し、保持部３０ｄの先端側には傾斜面をなすリーダーピン導入面３１（図６）が形成されている。この導入面３１は、リーダーピン５がロボットアームに保持されてケース４内に挿入されるとき、最初にリーダーピン５のフランジ５ｃの外周面が当接し、このフランジ５ｃに押されてラッチスプリング３０の腕部３０ｂが側方に弾性的に偏位せしめられ、リーダーピン５の凹部９内への挿入を可能にする。導入面３１を通過したリーダーピン５のフランジ５ｃは、図６に示すように、保持部３０ｄにより凹部９の奥の壁面に弾性的に押圧保持される。
【００１０】
また、この形式のラッチスプリング３０は、上下ハーフ２，３の締結に伴って、その連結基部３０ａおよび裏面板３０ｃの上下端縁が、上下ハーフ２，３によって挟持固定されるようになっている。
【特許文献１】特開平１１−２４２８７０号公報
【発明の開示】
【発明が解決しようとする課題】
【００１１】
ところで、上記リーダーピン５が開口部８からケース４内に挿入されるときの状態を詳細に観察すると、図８の説明図に示すようになっている。
【００１２】
リーダーピン収納用凹部９は、リーダーピン５がケース４内に挿入されるとき、リーダーピン５のフランジ５ｃを凹部９の奥に案内する直線的な案内壁面９ａ，９ｂと、フランジ５ｃの半径よりも僅かに大径の半円形の保持壁面９ｃとを備えている。
【００１３】
本来、リーダーピン５は、その中心軸Ｓが、凹部９の奥の半円形の保持壁面９ｃの曲率中心Ｐを通りケース４の開口部８側の側面に垂直な中心線Ｌ１に沿って凹部９内に挿入されるように設計され、リーダーピン５のフランジ５ｃがラッチスプリング３０の先端のリーダーピン導入面３１に当接すると、フランジ５ｃよって導入面３１が押されることにより腕部３０ｂが側方（図の左方）に偏位してリーダーピン５の凹部９の奥への挿入を可能にするとともに、導入面３１を通過して凹部９の奥まで挿入されたフランジ５ｃが、ラッチスプリング３０の保持部３０ｄによって凹部９の保持壁面９ｃに弾性的に押圧保持されるようになっている。
【００１４】
しかしながら、記録再生装置に装填された磁気テープカートリッジと記録再生装置側のロボットアームとの相対位置のバラツキ等によって、リーダーピン５の中心軸Ｓが凹部９の中心線Ｌ１から左右に外れた状態で凹部９内に挿入されることがあるため、凹部９の開口部８側を幅広にするとともに、案内壁面９ａ，９ｂを外方に開く傾斜面にして、リーダーピン５の中心軸Ｓが中心線Ｌ１から外れた状態でリーダーピン５が挿入された場合でも、中心軸Ｓが保持壁面９ｃの曲率中心Ｐに向かうように案内壁面９ａ，９ｂがフランジ５ｃを案内するように構成されている。
【００１５】
ところが、ラッチスプリング３０の導入面３１の位置にもバラツキがあるために、図８に示すように、リーダーピン５のフランジ５ｃがラッチスプリング３０側の案内壁面９ａに案内される態様で、凹部９内に挿入される場合、導入面３１がフランジ５ｃによって押されただけではラッチスプリング３０の腕部３０ｂが側方に偏位せず、このため、リーダーピン５のケース４内への挿入が不能になるという不都合が生じることがあった。
【００１６】
このラッチスプリング３０の導入面３１は、中心線Ｌ１に平行な直線Ｌ２に対して所定の傾斜角度α′を有するように設けられており、ちなみに従来は、この傾斜角度α′が５５°に設定されていた。なお、凹部９のラッチスプリング３０側の案内壁面９ａと上記直線Ｌ２とのなす角度は１０°に設定されているから、導入面３１とラッチスプリング３０側の案内壁面９ａとのなす角度β′は４５°になっていた。
【００１７】
このため、リーダーピン５のフランジ５ｃが案内壁面９ａに案内される態様で、凹部９内に挿入された場合、ラッチスプリング３０の導入面３１がフランジ５ｃによって押されても腕部３０ｂが側方に偏位しない場合があるという不都合を生じたのである。
【００１８】
上述の事情に鑑み、本発明の目的は、記録再生装置側の部材によってリーダーピンが磁気テープカートリッジ内に挿入される場合の挿入位置の誤差に基づくバラツキ、およびラッチスプリングの導入面の位置のバラツキに関係なく、常にリーダーピンをカートリッジケース内へ滑らかに挿入することが可能なラッチスプリング構造を提供することにある。
【課題を解決するための手段】
【００１９】
本発明は、磁気テープを巻装した単一のリールがカートリッジケース内に回転可能に収容され、上記磁気テープの先端部に固着されたテープ引出し用リーダーピンが、その両端部に対し上記ケース内に設けられたラッチスプリングにより側方から加えられる付勢力によって上記ケース内に着脱可能に保持され、上記ラッチスプリングは、上記リーダーピンが上記ケース内に挿入されるときに該リーダーピンにより側方に偏位せしめられて上記リーダーピンの上記ケース内への挿入を可能にする導入面と、該導入面を通過した上記リーダーピンを上記ケース内に保持する保持部とを備えてなる磁気テープカートリッジにおいて、
上記リーダーピンとの接点における上記導入面のリーダーピンの挿入方向に対する傾斜角度が、上記リーダーピンの上記ケース内への挿入位置の如何に拘らずリーダーピンにより押されるだけの動作によって上記ラッチスプリングが側方に偏位せしめられる３０°±５°の角度範囲内に設定されていることを特徴とするものである。
【発明の効果】
【００２０】
本発明によれば、上記ラッチスプリングの導入面が、リーダーピンとの接点においてこのリーダーピンのケース内への挿入位置の如何に拘らずこのリーダーピンにより押されるだけの動作によってラッチスプリングが側方に偏位せしめられる傾斜角度を備えていることにより、ケースに対するリーダーピンの挿入経路にバラツキが存在しても、また、ラッチスプリングの導入面に位置にバラツキが存在しても、リーダーピンを支障なくケース内の所定位置に収納することができる。
【発明を実施するための最良の形態】
【００２１】
以下、図面に示す実施の形態に基づいて本発明を詳細に説明する。
【００２２】
図１は本発明が適用される磁気テープカートリッジの一例構成を示す斜視図である。磁気テープカートリッジ１は、上ハーフ２と下ハーフ３とがビス等により締結されてなる略矩形状の扁平なカートリッジケース４を備え、このカートリッジケース４内に、磁気テープ６を巻装した単一のリール７が回動可能に収容され、磁気テープ６の終端にはローディング用のリーダーピン５が固着されている。カートリッジケース４（上下ハーフ２，３）の一側壁（右側壁）には、磁気テープ６を引き出すための略矩形状の開口部８が形成され、この開口部８は、後述するドアスプリング１２で閉方向に付勢されたスライドドア２０によって開閉され、開口部８の近傍の上下ハーフ２，３にはリーダーピン５の収納用凹部９が形成されている。
【００２３】
また、上記磁気テープカートリッジ１は、その不使用時に磁気テープ６が完全にリール７に巻き込まれた状態で、終端のリーダーピン５がその収納用凹部９内に係止保持される。この凹部９には開口部８に向けて誘い込み構造に形成されたガイド面１０が連設され、凹部９に向けてリーダーピン５のフランジ５ｃを案内する。また、上記リーダーピン５を上記凹部９に着脱可能に保持するため、凹部９の近傍には、例えば図８に示したようなラッチスプリング３０が取り付けられている。
【００２４】
なお、この磁気テープカートリッジ１の記録再生装置への装填方向は図１の斜め右上方向であり、本明細書における前後方向は、装填方向に対応して記載してある。
【００２５】
図２は、本発明による磁気テープカートリッジの実施の形態を示すもので、リーダーピン５がケース４内に挿入されるとき、ラッチスプリング３０の先端部の導入面３１に当接したときの状態を示す図８に対応する説明図である。
【００２６】
リーダーピン収納用凹部９は、リーダーピン５がケース４内に挿入されるとき、リーダーピン５のフランジ５ｃを凹部９の奥に案内する傾斜した直線的案内壁面９ａ，９ｂと、フランジ５ｃの半径よりも僅かに大径の半円形の保持壁面９ｃとを備えている。
【００２７】
また、リーダーピン５は、その中心軸Ｓが凹部９の奥の半円形の保持壁面９ｃの曲率中心Ｐを通りケース４の開口部８側の側面に垂直な中心線Ｌ１に沿って凹部９内に挿入されるように基本的に設計されている。
【００２８】
ラッチスプリング３０は、その弾性腕部３０ｂの先端にリーダーピン５の保持部３０ｄを備えている。保持部３０ｄは山形に突出し、保持部３０ｄの先端側には傾斜面をなすリーダーピン導入面３１が形成されている。この導入面３１は、上記中心線Ｌ１に平行な直線Ｌ２に対して角度αだけ傾斜しており、この傾斜角度αは３０°±５°の範囲内に設定されている。そして、凹部９のラッチスプリング３０側の案内壁面９ａと直線Ｌ２とのなす角度を約１０°とすると、凹部９のラッチスプリング３０側の案内壁面９ａと導入面３１とのなす角度βは２０°±５°になる。
【００２９】
このように、本実施の形態においては、ラッチスプリング３０の導入面３１の傾斜角度αが３０°±５°の範囲内に設定されていることにより、カートリッジケース４に対するリーダーピン５の挿入経路にバラツキが存在して、図３に示すように、リーダーピン５のフランジ５ｃが凹部９のラッチスプリング３０側の案内壁面９ａに触れる程にリーダーピン５がずれて挿入され、しかもラッチスプリング３０の導入面３１の位置にバラツキがある場合であっても、導入面３１に当接したフランジ５ｃにより導入面３１が押されてラッチスプリング３０の腕部３０ｂが側方へ偏位せしめられ、これにより、図３に示すように、フランジ５ｃがラッチスプリング３０の保持部３０ｄに達し、さらに、保持部３０ｄの山を乗り越えて、図４に示すように、ラッチスプリング３０の保持部３０ｄによって、フランジ５ｃが凹部９の保持壁面９ｃに弾性的に押圧保持されることになる。
【００３０】
この傾斜角度αの３０°±５°の範囲は、本発明の発明者等の数多くの実験により決定された値であり、この範囲から大きい方に外れた場合には、リーダーピン５の挿入動作のみではラッチスプリングが滑らかに偏位せず、小さい方に外れた場合にはリーダーピン５に対するラッチスプリング３０の導入面３１の受け角が小さく、十分な導入ができず、いずれもリーダーピン５の挿入に支障を来すことになる。
【００３１】
なお、図２〜図４では、ラッチスプリング３０の導入面３１が直線状の平面として示されているが、この導入面３１は円弧面または曲面であってもよく、その場合は、リーダーピン５のフランジ５ｃとの接点における導入面３１の傾斜角度が３０°±５°の範囲内にあればよい。すなわち、導入面３１上のどの位置にフランジ５ｃが当接しても、その接点における導入面３１の傾斜角度が上記範囲内にあれば、リーダーピン５のケース４内への挿入位置に関係なく、リーダーピン５によって押されるだけの動作によってラッチスプリング３０の腕部３０ｂが側方に偏位せしめられて、リーダーピン５のケース４内への挿入を可能にする。
【図面の簡単な説明】
【００３２】
【図１】本発明が適用される磁気テープカートリッジの磁気テープを引き出した状態の斜視図
【図２】本発明による磁気テープカートリッジの実施の形態において、リーダーピンがカートリッジケース内に挿入されるときにリーダーピンのフランジがラッチスプリングの導入面に当接した状態を示す説明図
【図３】図２の実施の形態において、リーダーピンのフランジがラッチスプリングの保持部を通過するときの状態を示す説明図
【図４】図２の実施の形態において、リーダーピンのフランジがカートリッジケースの凹部の奥に保持された状態を示す説明図
【図５】従来の磁気テープカートリッジにおけるリーダーピン保持部の構造を示す要部の縦断面図
【図６】その一部を断面とした平面図
【図７】そのラッチスプリングの斜視図
【図８】従来の磁気テープカートリッジにおいて、リーダーピンがカートリッジケース内に挿入されるときにリーダーピンのフランジがラッチスプリングの導入面に当接した状態を示す、図２に対応する説明図
【符号の説明】
【００３３】
１    磁気テープカートリッジ
２    上ハーフ
３    下ハーフ
４    カートリッジケース
５    リーダーピン
６    磁気テープ
７    リール
８    開口部
９    リーダーピン収納用凹部
２０    スライドドア
３０    ラッチスプリング
【図１】
2007311025.tif 000003
【図２】
2007311025.tif 000004
【図３】
2007311025.tif 000005
【図４】
2007311025.tif 000006
【図５】
2007311025.tif 000007
【図６】
2007311025.tif 000008
【図７】
2007311025.tif 000009
【図８】
2007311025.tif 000010